(57)【要約】      （修正有）【課題】データの不正コピー、ロギング、上書きを高度に防止できる暗号化ＵＳＢ保存装置を提供する。【解決手段】ケースと、ケース内に位置する回路基板と、回路基板に位置すると共に内部に永久メモリユニットを有し、永久メモリユニットには鍵のパスワードが保存される制御チップと、制御チップと、情報処理装置に接続する暗号化ＵＳＢ接続インターフェースを有する送信ユニットと、復号化のための制御プログラムファイル及び少なくとも１つの暗号化されたメディアファイルを保存するメモリと、を備える。復号化のための制御プログラムファイルは少なくとも１つの暗号化されたメディアファイルに対し複合化作業を行い、鍵のパスワードに対応する認証コードを有し、認証コードにより鍵のパスワードの正確性を認証する。【選択図】図２
0003230803.tif 000002
【実用新案登録請求の範囲】
【請求項１】
ケースと、
前記ケース内に位置する回路基板と、
前記回路基板に位置すると共に内部に永久メモリユニットを有し、前記永久メモリユニットには鍵のパスワードが保存されている制御チップと、
前記制御チップと、情報処理装置に接続するUSB接続インターフェースを有する送信ユニットと、
復号化のための制御プログラムファイル及び少なくとも１つの暗号化されたメディアファイルを保存するメモリと、を備え、
前記復号化のための制御プログラムファイルは少なくとも１つの前記暗号化されたメディアファイルに対し複合化作業を行うために用い、且つ前記鍵のパスワードに対応する認証コードを有し、認証コードにより前記鍵のパスワードの正確性を認証することを特徴とする暗号化USB保存装置。
【請求項２】
前記メモリは、前記暗号化USB保存装置と情報処理装置とを接続した際にディスプレイに表示するメディアメニューを更に保存し、ユーザーが前記メディアメニュー中から前記暗号化されたメディアファイルを選択的に見ることを可能にすることを特徴とする請求項１に記載の暗号化USB保存装置。
【請求項３】
前記制御プログラムファイルは書込保護機能モジュールを有することを特徴とする請求項１に記載の暗号化USB保存装置。
【請求項４】
少なくとも１つの前記暗号化されたメディアファイルはマザー保存装置から得られることを特徴とする請求項１に記載の暗号化USB保存装置。
【請求項５】
前記マザー保存装置はローカル情報処理装置またはクラウド情報処理装置であることを特徴とする請求項４に記載の暗号化USB保存装置。
【考案の詳細な説明】
【技術分野】
【０００１】
本考案は、USB保存装置に関し、更に詳しくは、無断コピーまたはロギングを防止する暗号化USB保存装置に関する。
【背景技術】
【０００２】
従来の携帯型保存装置として、USB保存装置またはフラッシュドライブが非常に普及している保存装置である。一般的なユーザーはUSB保存装置やフラッシュドライブを利用して文書やオーディオビジュアルファイルを保存し、且つ情報処理装置（パソコンやポータブルコンピューター）を利用してUSB保存装置やフラッシュドライブのコンテンツにアクセスしている。
【考案の概要】
【考案が解決しようとする課題】
【０００３】
しかしながら、前述した従来の技術では、すなわち、一般的なUSB保存装置やフラッシュドライブは、情報処理装置にデータを伝送する過程で、データが不正にコピーされたり、ロギングされるリスクがある。
【０００４】
また、証拠を保全する応用に関し、一般的なUSB保存装置やフラッシュドライブでは保存したデータの上書きを防げなかった。
【０００５】
そこで、本考案者は上記の欠点が改善可能と考え、鋭意検討を重ねた結果、合理的設計で上記の課題を効果的に改善する本考案の提案に至った。
【０００６】
本考案は、かかる事情に鑑みてなされたものであり、その目的とするところは、暗号化USB保存装置を提供することにある。つまり、内部に復号化のための制御プログラムファイルを設け、ユーザーが前記暗号化USB保存装置と情報処理装置とを接続する際に、前記復号化のための制御プログラムファイルを前記情報処理装置に伝送し、前記情報処理装置中で前記復号化のための制御プログラムファイルを実行し、前記暗号化USB保存装置に保存した暗号化されたメディアファイルに対し複合化作業を行うことで、メディアファイルの不正コピーやロギングを有効的に防止する。
【０００７】
本考案の他の目的は、暗号化USB保存装置を提供することにある。つまり、内部の制御チップ内に鍵のパスワードを保存する永久メモリユニットを設置することで無断コピーまたは無断ロギングの防止効果を高めている。
【０００８】
本考案のさらなる他の目的は、暗号化USB保存装置を提供することにある。つまり、内部のメモリにメディアメニューを保存し、前記暗号化USB保存装置と情報処理装置とを接続した際に前記メディアメニューをディスプレイに表示し、ユーザーが前記メディアメニュー中からメディアファイルを選択する。
【０００９】
本考案のさらにさらなるの目的は、暗号化USB保存装置を提供することにある。つまり、前記復号化のための制御プログラムファイル中に書込保護機能モジュールを設けて前記暗号化USB保存装置中のメディアファイルの上書きを防止する。
【課題を解決するための手段】
【００１０】
上記課題を解決するために、本考案のある態様の暗号化USB保存装置は、
ケースと、
前記ケース内に位置する回路基板と、
前記回路基板に位置すると共に内部に永久メモリユニットを有し、前記永久メモリユニットには鍵のパスワードが保存される制御チップと、
前記制御チップと、情報処理装置に接続するUSB接続インターフェースを有する送信ユニットと、
復号化のための制御プログラムファイル及び少なくとも１つの暗号化されたメディアファイルを保存するメモリと、を備えている。
前記復号化のための制御プログラムファイルは少なくとも１つの前記暗号化されたメディアファイルに対し複合化作業を行うために用い、且つ前記鍵のパスワードに対応する認証コードを有し、認証コードにより前記鍵のパスワードの正確性を認証する。
【００１１】
本考案の好適例において、前記メモリはメディアメニューを更に保存し、前記暗号化USB保存装置と情報処理装置とを接続した際にディスプレイに表示し、ユーザーが前記メディアメニュー中から前記暗号化されたメディアファイルを選択する。
【００１２】
本考案の好適例において、前記復号化のための制御プログラムファイルは書込保護機能モジュールを有する。
【００１３】
本考案の好適例において、少なくとも１つの前記暗号化されたメディアファイルはマザー保存装置から得られる。
【００１４】
本考案の可能な実施形態において、前記マザー保存装置はローカル情報処理装置またはクラウド情報処理装置である。
【００１５】
本明細書及び図面の記載により、少なくとも、以下の事項が明らかとなる。
【図面の簡単な説明】
【００１６】
【図１】本考案の一実施形態に係る暗号化USB保存装置を示す外観概略図である。
【図２】本考案の一実施形態に係る暗号化USB保存装置の制御回路を示すブロック図である。
【図３】本考案の一実施形態に係る暗号化USB保存装置を模式的に示した操作図である。
【考案を実施するための形態】
【００１７】
以下、図面を参照しつつ、本考案に係る暗号化USB保存装置について具体的に説明する。なお、本考案は、以下に説明する実施形態に限定されるものではない。
【００１８】
まず、第１実施形態を図１乃至図３に基づいて説明する。図１は本考案の一実施形態に係る暗号化USB保存装置を示す外観概略図である。図２は本考案の一実施形態に係る暗号化USB保存装置の制御回路を示すブロック図である。図１と図２に示されるように、暗号化USB保存装置１００は、ケース１１０と、回路基板１２０と、制御回路１３０と、を備えている。制御回路１３０は、制御チップ１３１と、送信ユニット１３２と、メモリ１３３と、を有し、且つ送信ユニット１３２は情報処理装置２００のUSB接続インターフェース２０１に接続するUSB接続インターフェース１３２ａを有する。
【００１９】
回路基板１２０はケース１１０内に位置し、制御回路１３０を載置する。
【００２０】
制御チップ１３１は回路基板１２０に位置すると共に内部に永久メモリユニット１３１ａを有し、前記永久メモリユニット１３１ａには鍵のパスワード１３１ａ１を保存する。
【００２１】
送信ユニット１３２は物理（PHY）送信ユニットであり、制御チップ１３１とUSB接続インターフェース１３２ａとの間に結合し、USB信号を利用してコマンド及び／またはデータを伝送する。
【００２２】
メモリ１３３には復号化のための制御プログラムファイル１３３ａ、少なくとも１つの暗号化されたメディアファイル１３３ｂ、及びメディアメニュー１３３ｃを保存する。復号化のための制御プログラムファイル１３３ａは少なくとも１つの暗号化されたメディアファイル１３３ｂに対する複合化作業を行うために用い、且つ鍵のパスワード１３１ａ１に対応する認証コードを有し、前記認証コードにより鍵のパスワード１３１ａ１の正確性を認証する。メディアメニュー１３３ｃは暗号化USB保存装置１００と情報処理装置２００とを接続した際にディスプレイ２１０に表示し、ユーザーがメディアメニュー１３３ｃ中から暗号化されたメディアファイル１３３ｂに対する複合化を選択可能となる。
【００２３】
また、復号化のための制御プログラムファイル１３３ａは書込保護機能モジュール１３３ａ１を有し、少なくとも１つの前記暗号化されたメディアファイル１３３ｂのデータの上書きを防止する。
【００２４】
また、少なくとも１つの前記暗号化されたメディアファイル１３３ｂはマザー保存装置から得られ、可能な実施例においては、前記マザー保存装置はローカル情報処理装置またはクラウド情報処理装置である。
【００２５】
また、図３は本考案の暗号化USB保存装置を模式的に示した操作図である。図３に示されるように、ユーザーが暗号化USB保存装置１００と情報処理装置２００とを接続した後、メディアメニュー１３３ｃがディスプレイ２１０に表示され、ユーザーはメディアメニュー１３３ｃ中から暗号化されたメディアファイル１３３ｂに対する複合化を選択可能となる。暗号化USB保存装置１００から情報処理装置２００に伝送するデータは全て暗号化されたデータとなるため、何者かが前記データに対してロギングを行ってもその真の内容を取得することはできない。また、復号化のための制御プログラムファイル１３３ａ内の前記認証コードは永久メモリユニット１３１ａに保存する鍵のパスワード１３１ａ１と符合或いは対応しておらねばならず、復号化のための制御プログラムファイル１３３ａを使用しなければ暗号化されたメディアファイル１３３ｂの複合化が行えない。よって、USB保存装置を作製する際に本考案の制御チップ１３１を採用せずに一般的な制御チップで実施した場合、暗号化されたメディアファイル１３３ｂをコピーし、情報処理装置２００側で復号化のための制御プログラムファイル１３３ａをコピーしても、情報処理装置２００は作製した前記USB保存装置内の暗号化されたメディアファイル１３３ｂを正確に読み取ることはできない。
【００２６】
このように、本考案によれば、次のような効果がある。
１．本考案の暗号化USB保存装置は内部に復号化のための制御プログラムファイルを設け、ユーザーが前記暗号化USB保存装置と情報処理装置とを接続した際に、前記復号化のための制御プログラムファイルを前記情報処理装置に伝送し、前記情報処理装置中で前記復号化のための制御プログラムファイルを実行し、前記暗号化USB保存装置内に保存する暗号化されたメディアファイルに対して複合化作業を行う。これによりメディアファイルの不正コピーや不正ロギングを有効的に防止する。
２．本考案の暗号化USB保存装置は内部の制御チップ内に鍵のパスワードを保存する永久メモリユニットを設置することで無断コピーまたは無断ロギングの防止効果を高めている。
３．本考案の暗号化USB保存装置は内部のメモリにメディアメニューを保存し、前記暗号化USB保存装置と情報処理装置とを接続した際に前記メディアメニューをディスプレイに表示し、ユーザーが前記メディアメニュー中からメディアファイルを選択可能となる。
４．本考案の暗号化USB保存装置は前記復号化のための制御プログラムファイル中に書込保護機能モジュールを設け、前記暗号化USB保存装置中のメディアファイルの上書きを防止する。
【００２７】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２８】
１００  暗号化USB保存装置
１１０  ケース
１２０  回路基板
１３０  制御回路
１３１  制御チップ
１３１ａ  永久メモリユニット
１３１ａ１  鍵のパスワード
１３２  送信ユニット
１３２ａ  USB接続インターフェース
１３３  メモリ
１３３ａ  復号化のための制御プログラムファイル
１３３ｂ  暗号化されたメディアファイル
１３３ｃ  メディアメニュー
２００  情報処理装置
２０１  USB接続インターフェース
２１０  ディスプレイ
【図１】
0003230803.tif 000003
【図２】
0003230803.tif 000004
【図３】
0003230803.tif 000005